(57)【要約】【課題】部材の固着が生じてもファンの着脱が容易なレンジフードを提供する。【解決手段】スピンナー１は、ファン部材４が回転軸６ｂに取り付けられた状態で、モータ６の回転軸６ｂに螺合した螺合状態と、回転軸６ｂとの螺合状態が解除された解除状態との間で移動可能なレバー部材１ｄを有している。スピンナー１は、回転軸６ｂに対して、ワンタッチ操作（レバー部材１ｄの螺合状態と解除状態との間での操作）により着脱可能であるとともに、螺合操作によっても着脱可能である。【選択図】図４
2020020484.tif 000002
【特許請求の範囲】
【請求項１】
回転軸を有する駆動源と、
前記駆動源の前記回転軸に取り付けられたファン部材と、
前記ファン部材が前記回転軸に取り付けられた状態で、前記駆動源の前記回転軸に螺合した螺合状態と、前記回転軸との螺合状態が解除された解除状態との間で移動可能な係合部材とを有するスピンナーと、を備え、
前記スピンナーは、螺合により前記回転軸に対して着脱可能であり、かつ前記係合部材を前記螺合状態と前記解除状態との間で操作することにより前記回転軸に対して着脱可能に構成されている、レンジフード。
【請求項２】
前記スピンナーは、
前記係合部材を前記螺合状態とする第１状態と、前記係合部材を前記解除状態とする第２状態との間で移動可能な作動部材と、
前記作動部材を前記第２状態となるように付勢する第２付勢部材と、を有する、請求項１に記載のレンジフード。
【請求項３】
前記回転軸を前記係合部材と螺合可能な位置へ挿入することにより前記作動部材が前記第１状態となるように構成されている、請求項２に記載のレンジフード。
【請求項４】
前記係合部材は、前記螺合状態と前記解除状態との間で直線状にスライド移動するように構成されている、請求項１に記載のレンジフード。
【請求項５】
前記係合部材は、前記螺合状態と前記解除状態との間で回転移動するように構成されている、請求項１に記載のレンジフード。
【請求項６】
前記スピンナーは、
前記係合部材を前記螺合状態とする第１状態と、前記係合部材を前記解除状態とする第２状態との間で移動可能で、かつ前記スピンナーの外部から操作可能な操作部材と、
前記操作部材を前記第１状態となるように付勢する第３付勢部材と、を有する、請求項５に記載のレンジフード。
【請求項７】
前記スピンナーは、前記係合部材が前記螺合状態となるように前記係合部材を付勢する第１付勢部材をさらに有し、
前記第１付勢部材が前記係合部材を付勢する方向は、前記螺合状態と前記解除状態との間で前記操作部材を操作する方向とは異なる方向である、請求項６に記載のレンジフード。
【請求項８】
前記係合部材は、係合部と、前記係合部の両端から径方向外側に向かって延びる１対の延在部とを有するバネ部材である、請求項１に記載のレンジフード。
【請求項９】
前記スピンナーは、
前記係合部材を前記螺合状態とする第１状態と、前記係合部材を前記解除状態とする第２状態との間で移動可能で、かつ前記スピンナーの外部から操作可能な操作部材と、
前記操作部材を前記第１状態となるように付勢する第３付勢部材と、を有する、請求項８に記載のレンジフード。
【発明の詳細な説明】
【技術分野】
【０００１】
本発明は、レンジフードに関するものである。
【背景技術】
【０００２】
レンジフードにおけるファンの取り付け構造に関し、従来、ファンをワンタッチ操作で着脱可能なレンジフードが特開２０１８−７１８６９号公報（特許文献１）に開示されている。
【０００３】
特許文献１に記載のワンタッチ取り外し操作においては、まずファンボスの外周部に備えられた解除ノブがボス中心側に押し込み操作される。これにより、内蔵されているロック爪が係合付勢力に抗して係合解除方向に強制後退される。この状態で排気用ファンが下方に引き下げられることにより回転軸から引き抜かれて、レンジフードから取り外される。
【先行技術文献】
【特許文献】
【０００４】
【特許文献１】特開２０１８−７１８６９号公報
【発明の概要】
【発明が解決しようとする課題】
【０００５】
しかしながら特許文献１に記載のレンジフードでは、ワンタッチ着脱機構を構成する部材同士が油汚れ、錆などで固着することが考えられる。この場合、ワンタッチ着脱機構が正しく動作せず、排気用ファンが外せなくなるおそれがある。
【０００６】
本発明は、上記の課題に鑑みてなされたものであり、その目的は、部材の固着が生じてもファンの着脱が容易なレンジフードを提供することである。
【課題を解決するための手段】
【０００７】
本発明のレンジフードは、駆動源と、ファン部材と、スピンナーとを備えている。駆動源は、回転軸を有している。ファン部材は、駆動源の回転軸に取り付けられている。スピンナーは、ファン部材が回転軸に取り付けられた状態で、駆動源の回転軸に螺合した螺合状態と、回転軸との螺合状態が解除された解除状態との間で移動可能な係合部材を有している。スピンナーは、螺合により回転軸に対して着脱可能であり、かつ係合部材を螺合状態と解除状態との間で操作することにより回転軸に対して着脱可能に構成されている。
【０００８】
本発明のレンジフードによれば、スピンナーは、螺合により回転軸に対して着脱可能であり、かつ係合部材を螺合状態と解除状態との間で操作することにより回転軸に対して着脱可能である。このため係合部材が油汚れ、錆などにより他の部材と固着した場合でも、スピンナーを螺合により回転軸に対して着脱することができる。よって油汚れ、錆などによる固着が生じてもファンの着脱が容易である。
【０００９】
上記レンジフードにおいて、スピンナーは、作動部材と、第２付勢部材とを有している。作動部材は、係合部材を螺合状態とする第１状態と、係合部材を解除状態とする第２状態との間で移動可能である。第２付勢部材は、作動部材を第２状態となるように付勢している。
【００１０】
上記のように作動部材が第２付勢部材の付勢力により第２状態とされることにより、回転軸と係合部材との螺合状態が解除された解除状態とすることが可能となる。このため解除状態で回転軸を係合部材との螺合可能位置に対して着脱することが可能となる。よって回転軸に対するスピンナーの着脱操作が容易となる。
【００１１】
上記レンジフードは、回転軸を係合部材と螺合可能な位置へ挿入することにより作動部材が第１状態となるように構成されている。
【００１２】
これにより回転軸を係合部材と螺合可能な位置へ挿入することで係合部材が回転軸に螺合した螺合状態となる。このため回転軸を挿入するという操作だけで螺合状態を実現でき、回転軸へのスピンナーの取り付け操作が容易となる。
【００１３】
上記レンジフードにおいて、係合部材は、螺合状態と解除状態との間で直線状にスライド移動するように構成されている。
【００１４】
これにより係合部材を付勢部材の付勢力に抗してスライド移動させることにより、係合部材と回転軸との螺合状態を解除することが可能となる。
【００１５】
上記レンジフードにおいて、係合部材は、螺合状態と解除状態との間で回転移動するように構成されている。
【００１６】
これにより係合部材を付勢部材の付勢力に抗して回転移動させることにより、係合部材と回転軸との螺合状態を解除することが可能となる。
【００１７】
上記レンジフードにおいて、スピンナーは、操作部材と、第３付勢部材とを有している。操作部材は、係合部材を螺合状態とする第１状態と、係合部材を解除状態とする第２状態との間で移動可能で、かつスピンナーの外部から操作可能である。第３付勢部材は、操作部材を第１状態となるように付勢している。
【００１８】
これにより第３付勢部材の付勢力により操作部材が第１状態に付勢され、回転軸と係合部材との螺合状態が維持される。
【００１９】
上記レンジフードにおいて、スピンナーは、係合部材が螺合状態となるように係合部材を付勢する第１付勢部材をさらに有している。第１付勢部材が係合部材を付勢する方向は、螺合状態と解除状態との間で操作部材を操作する方向とは異なる方向である。
【００２０】
これにより付勢部材の付勢力により、係合部材と回転軸との螺合状態を維持することが可能となる。また第１付勢部材の付勢力を強くして螺合状態を強く維持するとともに、螺合状態を解除するために必要な操作力を小さくすることが可能となる。
【００２１】
上記レンジフードにおいて、係合部材は、係合部と、その係合部の両端から径方向外側に向かって延びる１対の延在部とを有するバネ部材である。
【００２２】
これによりバネ部材を用いて簡易な構成で回転軸との螺合状態と解除状態とを実現することができる。
【００２３】
また第２付勢部材の付勢力に抗して作動部材を第２状態へ移動させることができる。これにより回転軸と係合部材との螺合状態が解除された解除状態とすることができ、回転軸にスピンナーを脱着することが可能となる。
【発明の効果】
【００２４】
以上説明したように本発明によれば、部材の固着が生じてもファンの取り外しが容易なレンジフードを実現することができる。
【図面の簡単な説明】
【００２５】
【図１】本発明の実施の形態１におけるレンジフードの構成を示す斜視図である。
【図２】図１のレンジフードの構成を示す断面図である。
【図３】図１のレンジフードにおけるスピンナー付近の構成を示す斜視図である。
【図４】図１のレンジフードにおけるスピンナー付近の構成であってレバー部材が回転軸と螺合状態にある構成を示す断面図である。
【図５】図１のレンジフードにおけるスピンナー付近の構成を示す分解断面図である。
【図６】図４に示されるスピンナーに含まれるレバー部材および付勢部材の構成を示す上方斜視図である。
【図７】図４に示されるスピンナーに含まれるレバー部材、付勢部材および作動部材の構成を示す下方斜視図である。
【図８】図４に示されるスピンナーにおける作動部材の動作の第１状態を説明するための断面図である。
【図９】図４に示されるスピンナーにおける作動部材の動作の第２状態を説明するための断面図である。
【図１０】図１のレンジフードにおけるスピンナー付近の構成であってレバー部材と回転軸との螺合状態が解除された解除状態の構成を示す断面図である。
【図１１】本発明の実施の形態１におけるレンジフードのスピンナーの変形例の構成を示す断面図である。
【図１２】本発明の実施の形態２におけるレンジフードのスピンナーに含まれる係合部材、付勢部材および作動部材の構成を示す平面図である。
【図１３】本発明の実施の形態２におけるレンジフードの作動部材の動作を説明するための断面図である。
【図１４】本発明の実施の形態３におけるレンジフードのスピンナーに含まれる係合部材、付勢部材および作動部材の構成を示す平面図である。
【図１５】本発明の実施の形態３におけるレンジフードの作動部材の動作を説明するための断面図である。
【発明を実施するための形態】
【００２６】
以下、本発明の実施の形態について図に基づいて説明する。
なお、以下の図においては、同一または相当する部分に同一の符号を付すものとし、重複する説明は繰り返さない。
【００２７】
（実施の形態１）
図１に示されるように、本実施の形態におけるレンジフード１０は、たとえばコンロ（図示せず）の上方に配設されるものである。このレンジフード１０は、本体ハウジング１１、フードケース１２、整流板１３、内装パネル１４などを有している。
【００２８】
本体ハウジング１１は、箱形の形状を有している。本体ハウジング１１の内部には、スピンナー１、ファン部材４などが配置されている。本体ハウジング１１の下端には、フードケース１２が接続されている。フードケース１２の下端には開口が設けられている。
【００２９】
フードケース１２の開口の内側には、整流板１３と内装パネル１４とが装着されている。整流板１３と内装パネル１４との間の隙間は、本体ハウジング１１の内部空間１１ａ（図２）に通じている。
【００３０】
図２に示されるように、本体ハウジング１１の内部空間１１ａには、スピンナー１と、ファン部材４、モータ６、ファンケーシング８などが配置されている。
【００３１】
ファンケーシング８の底面には吸込口８ａが設けられている。ファンケーシング８の内部空間８ｂは、吸込口８ａを通じて、整流板１３と内装パネル１４との間の隙間１５に通じている。またファンケーシング８は、本体ハウジング１１の外方に延出された排気ダクト（図示せず）に接続されている。
【００３２】
ファン部材４は、ファンケーシング８の内部空間８ｂ内であって吸込口８ａの上方に配置されている。ファン部材４は、ベース部材２と、排気用ファン３とを有している。
【００３３】
排気用ファン３は、たとえばシロッコファンである。この排気用ファン３は、複数のファンブレード３ａと、上部支持板３ｂと、下部支持板３ｃとを有している。複数のファンブレード３ａは、周方向に一定のピッチで配置されている。上部支持板３ｂは、複数のファンブレード３ａの各々の上端を支持している。下部支持板３ｃは、複数のファンブレード３ａの各々の下端を支持している。上部支持板３ｂおよび下部支持板３ｃの各々は、円環形状を有している。
【００３４】
ベース部材２は、上部支持板３ｂにおける円環形状の中心に固定されている。ベース部材２は、たとえばボルトなどにより上部支持板３ｂに着脱可能に取り付けられている。
【００３５】
モータ６は、たとえばＡＣ（Alternating  Current）モータである。モータ６は、モータ本体６ａと、回転軸６ｂと、突出部６ｃとを有している。モータ本体６ａは、本体ハウジング１１に固定されている。モータ本体６ａの一部は、ファンケーシング８の内部空間８ｂ内に配置されている。回転軸６ｂは、ファンケーシング８の内部空間８ｂ内においてモータ本体６ａの下端から下方に延びている。突出部６ｃは、回転軸６ｂの外周面から径方向外方に向かって突き出している。
【００３６】
モータ６の回転軸６ｂには、ファン部材４が取り付けられている。ファン部材４は、モータ６の回転軸６ｂに嵌合する嵌合部２ｄを有している。ファン部材４の嵌合部２ｄがモータ６の突出部６ｃに嵌合することにより、ファン部材４は回転軸６ｂに対して相対回転不能に取り付けられている。
【００３７】
スピンナー１は、モータ６の回転軸６ｂに螺合により取り付けられている。またスピンナー１は、モータ６の回転軸６ｂに対して螺合により着脱可能であるとともに、ワンタッチ操作により着脱可能でもある。スピンナー１は、ファン部材４に対して相対回転可能となるようにファン部材４に取り付けられている。
【００３８】
次に、上記スピンナー１、ファン部材４およびモータ６の詳細な構成について図３〜図７を用いて説明する。
【００３９】
図３に示されるように、スピンナー１は、排気用ファン３の上部支持板３ｂの下方に配置されている。スピンナー１は、図２に示されるファン部材４をモータ６の回転軸６ｂに着脱するためのものである。
【００４０】
図４および図５に示されるように、ファン部材４は、上記のとおりベース部材２と、排気用ファン３とを有している。ベース部材２は、ベース下部２Ｌと、ベース上部２Ｕとを有している。ベース下部２Ｌは、円環部２ａａと、フランジ部２ａｂとを有している。円環部２ａａは、円環形状を有している。円環部２ａａの中心には貫通孔２ａｃが設けられている。円環部２ａａの上面には、雌ネジ部２ｆが設けられている。
【００４１】
フランジ部２ａｂは、円環部２ａａの下端に配置されている。フランジ部２ａｂは、円環部２ａａの外周端よりも、回転軸６ｂを中心とした外周側へ張り出している。フランジ部２ａｂは、円環部２ａａの外周端の全周に沿って設けられていてもよく、またその外周端の一部に設けられていてもよい。
【００４２】
ベース上部２Ｕは、張り出し固定部２ｂａと、上方突出部２ｃと、嵌合部２ｄとを有している。張り出し固定部２ｂａは、たとえば円環形状を有しており、かつ貫通孔２ｂｂを有している。
【００４３】
上方突出部２ｃは、張り出し固定部２ｂａの上面から上方へ延びている。上方突出部２ｃは、たとえば円筒形状を有している。上方突出部２ｃの円筒形状の軸中心ＡＸを中心とした径方向の寸法において、上方突出部２ｃの径方向寸法は張り出し固定部２ｂａの径方向寸法よりも小さい。
【００４４】
嵌合部２ｄは、上方突出部２ｃの上端に位置している。嵌合部２ｄは、図５に示されるように、複数の凸部２ｄａと、複数の凹部２ｄｂとにより構成されている。複数の凸部２ｄａおよび複数の凹部２ｄｂは、凸部２ｄａと凹部２ｄｂとが回転軸６ｂの周方向に交互に並ぶように配置されている。本実施の形態では、凸部２ｄａおよび凹部２ｄｂは周方向にたとえば４つずつ配置されている。
【００４５】
ベース上部２Ｕには、貫通孔２ｅが設けられている。この貫通孔２ｅは、上方突出部２ｃの軸中心ＡＸに沿って延びている。
【００４６】
スピンナー１は、スピンナー本体１ａと、押え部材１ｂと、１対のレバー部材１ｄ（係合部材）と、１対の付勢部材１ｅ（第１付勢部材）と、作動部材１ｆと、付勢部材１ｇ（第２付勢部材）とを有している。
【００４７】
スピンナー本体１ａは、たとえば円形の縁部の全周が同一方向に折り曲げられた形状を有している。
【００４８】
押え部材１ｂは、押え部１ｂｃと、円筒部１ｂｅとを有している。円筒部１ｂｅは、円筒形状を有している。押え部１ｂｃは、円筒部１ｂｅの上端に接続されており、円筒部１ｂｅの上端から内周側に延びている。押え部１ｂｃの中心には貫通孔１ｂｄが設けられている。
【００４９】
スピンナー本体１ａと押え部材１ｂとは、ボルトなどの固定部材（図示せず）によって互いに固定されている。スピンナー本体１ａと押え部材１ｂとの間の空間には、ベース下部２Ｌ、レバー部材１ｄ、作動部材１ｆおよび付勢部材１ｅ、１ｇが配置されている。
【００５０】
１対のレバー部材１ｄの各々は、雌ネジ形成部１ｄａと、操作部１ｄｂと、接続部１ｄｃとを有している。雌ネジ形成部１ｄａの一方端部には雌ネジ部が形成されている。雌ネジ形成部１ｄａの雌ネジ部は、回転軸６ｂの雄ネジ部と噛み合い螺合する部分である。
【００５１】
操作部１ｄｂは、スピンナー本体１ａと押え部材１ｂとの間の空間の外部に位置している。操作部１ｄｂは、スピンナー１およびファン部材４をレンジフード１０に着脱する作業者が、その着脱作業時に操作する部分である。
【００５２】
接続部１ｄｃは、雌ネジ形成部１ｄａと操作部１ｄｂとを接続する部分である。接続部１ｄｃの第１端部は雌ネジ形成部１ｄａに接続されており、接続部１ｄｃの第１端部の反対側の第２端部は操作部１ｄｂに接続されている。雌ネジ形成部１ｄａは、互いに対向する一方端部と他方端部とを有し、接続部１ｄｃと接続される上記一方端部に雌ネジ部を有している。
【００５３】
図６に示されるように、１対のレバー部材１ｄは、第１レバー部材１ｄ（第１係合部）および第２レバー部材１ｄ（第２係合部）からなっている。第１レバー部材１ｄおよび第２レバー部材１ｄの各々の接続部１ｄｃには、貫通孔１ｄｅが設けられている。
【００５４】
第１レバー部材１ｄの貫通孔１ｄｅ内に第２レバー部材１ｄの雌ネジ形成部１ｄａが位置し、かつ第２レバー部材１ｄの貫通孔１ｄｅ内に第１レバー部材１ｄの雌ネジ形成部１ｄａが位置するように、第１レバー部材１ｄおよび第２レバー部材１ｄが組み合わせられている。
【００５５】
第１レバー部材１ｄの雌ネジ形成部１ｄａは、第２レバー部材１ｄの貫通孔１ｄｅ内にて図６の矢印で示す方向にスライド可能である。また第２レバー部材１ｄの雌ネジ形成部１ｄａは、第１レバー部材１ｄの貫通孔１ｄｅ内にて図６の矢印で示す方向にスライド可能である。これにより第１レバー部材１ｄおよび第２レバー部材１ｄは、互いに対して直線状にスライド移動するように構成されている。
【００５６】
１対の付勢部材１ｅは、第１付勢部１ｅおよび第２付勢部１ｅからなっている。第１付勢部１ｅは、第１レバー部材１ｄの雌ネジ形成部１ｄａと第２レバー部材１ｄの接続部１ｄｃとの間に配置されている。第１付勢部１ｅは、第２レバー部材１ｄの貫通孔１ｄｅ内に配置されている。第１付勢部１ｅは、第１レバー部材１ｄの雌ネジ形成部１ｄａを第２レバー部材１ｄの雌ネジ形成部１ｄａに向けて付勢している。
【００５７】
また第２付勢部１ｅは、第２レバー部材１ｄの雌ネジ形成部１ｄａと第１レバー部材１ｄの接続部１ｄｃとの間に配置されている。第２付勢部１ｅは、第１レバー部材１ｄの貫通孔１ｄｅ内に配置されている。第２付勢部１ｅは、第２レバー部材１ｄの雌ネジ形成部１ｄａを第１レバー部材１ｄの雌ネジ形成部１ｄａに向けて付勢している。
【００５８】
上記のように第１付勢部１ｅおよび第２付勢部１ｅの双方は第１レバー部材１ｄの雌ネジ形成部１ｄａと第２レバー部材１ｄの雌ネジ形成部１ｄａとが互いに近づくように第１レバー部材１ｄおよび第２レバー部材１ｄを付勢している。このため上記雌ネジ部の間に回転軸６ｂの雄ネジ部が挿入された場合、第１レバー部材１ｄの雌ネジ部と第２レバー部材１ｄの雌ネジ部との双方が回転軸６ｂの雄ネジ部に螺合する螺合状態となるように、第１付勢部１ｅおよび第２付勢部１ｅは第１レバー部材１ｄおよび第２レバー部材１ｄを付勢している。
【００５９】
また、この状態から、第１レバー部材１ｄの操作部１ｄｂを第２レバー部材１ｄ側に押し込み、かつ第２レバー部材１ｄの操作部１ｄｂを第１レバー部材１ｄ側に押し込むことができる。この押し込み操作により、第１レバー部材１ｄの雌ネジ部と第２レバー部材１ｄの雌ネジ部とが互いに離れるように移動する。これにより第１レバー部材１ｄの雌ネジ部と第２レバー部材１ｄの雌ネジ部との双方を、回転軸６ｂの雄ネジ部との螺合が解除された解除状態とすることができる。
【００６０】
第１付勢部１ｅおよび第２付勢部１ｅの各々が第１レバー部材１ｄおよび第２レバー部材１ｄを付勢する方向は、上記螺合状態と上記解除状態との間で第１レバー部材１ｄおよび第２レバー部材１ｄがスライド移動する方向と同じ方向である。
【００６１】
図４および図５に示されるように、第１レバー部材１ｄおよび第２レバー部材１ｄの下方には作動部材１ｆが配置されている。作動部材１ｆは、上面に凸部１ｆａを有している。凸部１ｆａは、第１レバー部材１ｄおよび第２レバー部材１ｄに近づくにしたがって幅が小さくなるテーパ形状の断面形状を有している。凸部１ｆａは、三角形または台形の断面形状を有している。
【００６２】
付勢部材１ｇは、作動部材１ｆの下方に配置されている。付勢部材１ｇは、作動部材１ｆを第１レバー部材１ｄおよび第２レバー部材１ｄに向けて付勢している。これにより作動部材１ｆの凸部１ｆａは、第１レバー部材１ｄおよび第２レバー部材１ｄに当接可能である。
【００６３】
図７に示されるように、第１レバー部材１ｄおよび第２レバー部材１ｄの各々において、雌ネジ形成部１ｄａにはテーパ部１ｄｄが配置されている。このテーパ部１ｄｄは、雌ネジ形成部１ｄａの雌ネジ部が形成された一方端部の下端に位置している。テーパ部１ｄｄの断面形状は、作動部材１ｆの凸部１ｆａの断面形状に整合している。
【００６４】
第１レバー部材１ｄのテーパ部１ｄｄと第２レバー部材１ｄのテーパ部１ｄｄとは互いに向かい合っている。第１レバー部材１ｄのテーパ部１ｄｄと第２レバー部材１ｄのテーパ部１ｄｄとは、下から上に向かうほど互いに近づくような傾斜を有している。
【００６５】
作動部材１ｆの凸部１ｆａは、第１レバー部材１ｄのテーパ部１ｄｄと第２レバー部材１ｄのテーパ部１ｄｄとの双方に当接可能に配置されている。
【００６６】
作動部材１ｆは、図８に示される第１状態と、図９に示される第２状態との間で移動可能である。
【００６７】
図８に示されるように、第１状態においては、第１レバー部材１ｄおよび第２レバー部材１ｄの各々の雌ネジ部は、回転軸６ｂの雄ネジ部と螺合状態となっている。また第２状態においては、第１レバー部材１ｄおよび第２レバー部材１ｄの各々の雌ネジ部は、回転軸６ｂの雄ネジ部との間で螺合状態が解除された解除状態となっている。
【００６８】
具体的には図８に示されるように、作動部材１ｆの第１状態とは、作動部材１ｆに下向きの外力が作用することにより、作動部材１ｆが付勢部材１ｇの付勢力に抗して下方向（矢印Ｃ方向）に移動した状態である。この第１状態では、作動部材１ｆは、第１レバー部材１ｄおよび第２レバー部材１ｄの双方から離れている。この場合、第１レバー部材１ｄおよび第２レバー部材１ｄの各々は付勢部材１ｅの付勢力により矢印Ａ方向にスライド移動する。これにより第１レバー部材１ｄの雌ネジ部と第２レバー部材１ｄの雌ネジ部の間隔も狭くなり、上記雌ネジ部の各々と回転軸６ｂの雄ネジ部とが螺合可能な状態となる。
【００６９】
また図９に示されるように、作動部材１ｆの第２状態とは、作動部材１ｆが付勢部材１ｇの付勢力により上方向（矢印Ｄ方向）に移動した状態である。この第２状態では、作動部材１ｆの凸部１ｆａは、付勢部材１ｇの付勢力により第１レバー部材１ｄおよび第２レバー部材１ｄの各々のテーパ部１ｄｄを押圧している。これにより第１レバー部材１ｄのテーパ部１ｄｄと第２レバー部材１ｄのテーパ部１ｄｄとの間の間隔が押し広げられる。つまり第１レバー部材１ｄおよび第２レバー部材１ｄの各々は、矢印Ｂ方向にスライド移動する。これにより第１レバー部材１ｄの雌ネジ部と第２レバー部材１ｄの雌ネジ部の間隔も広がり、上記雌ネジ部と回転軸６ｂの雄ネジ部との螺合状態が解除可能な状態となる。
【００７０】
上記において付勢部材１ｅ、１ｇの各々は、たとえばバネであるが、これに限定されるものではなく付勢力を付与できる部材であればよい。また付勢部材１ｇの付勢力は、凸部１ｆａがテーパ部１ｄｄに押圧されたときに、付勢部材１ｅの付勢力に抗して、第１および第２レバー部材１ｄが矢印Ｂ方向へスライド移動するように調整されている。
【００７１】
次に、上記スピンナー１およびファン部材４の組立方法について図５を用いて説明する。
【００７２】
図５に示されるように、ベース下部２Ｌの下方に、レバー部材１ｄ、作動部材１ｆ、付勢部材１ｅ、１ｇおよびスピンナー本体１ａが配置される。スピンナー本体１ａとの間でベース下部２Ｌのフランジ部２ａｂを挟み込むように、ベース下部２Ｌの上方に押え部材１ｂが配置される。
【００７３】
押え部材１ｂがスピンナー本体１ａに固定部材（図示せず）で固定され、スピンナー本体１ａ、押え部材１ｂ、レバー部材１ｄ、作動部材１ｆおよび付勢部材１ｅ、１ｇからスピンナー１が構成される。フランジ部２ａｂがスピンナー本体１ａと押え部１ｂｃとの間で挟み込まれることにより、スピンナー１がベース下部２Ｌに対して相対回転可能に取り付けられる。
【００７４】
この後、スピンナー１およびベース下部２Ｌの組立体とベース上部２Ｕとが、排気用ファン３の上部支持板３ｂを挟み込むように配置される。ボルトなどの固定部材５が、ベース上部２Ｕの貫通孔２ｂｂと上部支持板３ｂの貫通孔３ｂｂとを貫通してベース下部２Ｌの雌ネジ部２ｆにねじ込まれる。これによりベース下部２Ｌ、ベース上部２Ｕおよび排気用ファン３の上部支持板３ｂは、固定部材５により互いに固定される。
【００７５】
これによりベース下部２Ｌおよびベース上部２Ｕからベース部材２が構成され、ベース部材２および排気用ファン３からファン部材４が構成される。スピンナー１は、このファン部材４に対して相対回転可能に取り付けられている。
【００７６】
上記のようにスピンナー１およびファン部材４が組み立てられる。
次に、上記のように組み立てられたスピンナー１およびファン部材４の組立体をレンジフード１０に取り付ける方法について図９、図１０、図４などを用いて説明する。
【００７７】
図９に示されるように、スピンナー１およびファン部材４の組立体が回転軸６ｂに取り付けられる前には、作動部材１ｆは付勢部材１ｇにより上方向（矢印Ｄ方向）に付勢されている。この作動部材１ｆの凸部１ｆａが第１レバー部材１ｄおよび第２レバー部材１ｄの各々のテーパ部１ｄｄを押圧することにより、レバー部材１ｄは付勢部材１ｅによる付勢力に抗して矢印Ｂ方向にスライド移動している。
【００７８】
この状態においては第１レバー部材１ｄおよび第２レバー部材１ｄの各々の雌ネジ部は互いに離れており、回転軸６ｂの雄ネジ部に噛み合わない位置にある。このため図１０に示されるように、回転軸６ｂの雄ネジ部をレバー部材１ｄと干渉することなく、レバー部材１ｄの雌ネジ部と対向する位置まで挿入することができる。
【００７９】
この回転軸６ｂの挿入により、回転軸６ｂが作動部材１ｆを付勢部材１ｇの付勢力に抗して下方へ押し込む。作動部材１ｆが下方に押し込まれると、第１レバー部材１ｄおよび第２レバー部材１ｄの各々が付勢部材１ｅの付勢力により矢印Ａ方向にスライド移動する。
【００８０】
レバー部材１ｄが矢印Ａ方向にスライド移動することにより、図４に示されるように、第１レバー部材１ｄおよび第２レバー部材１ｄの各々の雌ネジ部が回転軸６ｂの雄ネジ部に噛み合う。また付勢部材１ｅの付勢力によりレバー部材１ｄの雌ネジ部と回転軸６ｂの雄ネジ部との噛み合い状態が維持される。これによりスピンナー１およびファン部材４は、ネジ部の締め上げ無しにワンタッチ操作でモータ６の回転軸６ｂに固定される。
【００８１】
なおスピンナー１はベース下部２Ｌに対して相対回転可能に取り付けられている。このため上記のようにスピンナー１およびファン部材４の組立体が回転軸６ｂに取り付けられた状態において、スピンナー１をベース下部２Ｌおよび回転軸６ｂに対して相対的に回転させることができる。これにより、レバー部材１ｄの雌ネジ部と回転軸６ｂの雄ネジ部との噛み合いがさらに締め上げられてもよい。
【００８２】
また回転軸６ｂから突き出た突出部６ｃとファン部材４の嵌合部２ｄとが互いに嵌合することにより、ファン部材４は回転軸６ｂに対して相対回転不能に取り付けられている。このため回転軸６ｂがモータ本体６ａから駆動力を受けて回転すると、ファン部材４は回転軸６ｂとともに回転する。
【００８３】
なおスピンナー１およびファン部材４を回転軸６ｂからワンタッチ操作で取り外す際には、図４に示される状態から、第１レバー部材１ｄおよび第２レバー部材１ｄの各々がスピンナー本体１ａの内部へ押し込まれるように操作される。この押し込み操作により、図１０に示されるように、第１レバー部材１ｄおよび第２レバー部材１ｄの各々が矢印Ａ方向にスライド移動する。これによりレバー部材１ｄの雌ネジ部と回転軸６ｂの雄ネジ部との噛み合い状態が解除される。このためスピンナー１をベース下部２Ｌおよび回転軸６ｂに対して相対的に回転させることなく、レバー部材１ｄを矢印Ａ方向にスライド操作しながらスピンナー１およびファン部材４を回転軸６ｂから引き抜くというワンタッチ操作で、スピンナー１およびファン部材４を回転軸６ｂから取り外すことができる。
【００８４】
またスピンナー１およびファン部材４を回転軸６ｂから螺合により取り外す際には、図４に示される状態から、スピンナー１がベース下部２Ｌおよび回転軸６ｂに対して相対的に回転されてもよい。レバー部材１ｄの雌ネジ部と回転軸６ｂの雄ネジ部との螺合状態が解除されるまでスピンナー１が回転軸６ｂなどに対して回転されることにより、スピンナー１およびファン部材４を回転軸６ｂから取り外すこともできる。
【００８５】
次に、本実施の形態におけるレンジフード１０の効果について説明する。
以上説明したように本実施の形態によれば、スピンナー１は、回転軸６ｂに対してワンタッチ操作（第１および第２レバー部材１ｄの螺合状態と解除状態との間での操作）により着脱可能であるとともに、螺合によっても着脱可能である。このため第１および第２レバー部材１ｄが油汚れ、錆などによりスピンナー本体１ａなどと固着して操作できなくなった場合でも、スピンナー１を回転軸６ｂに対して螺合により着脱することができる。よって油汚れ、錆などによる固着が生じても排気用ファン３の着脱が容易である。
【００８６】
また本実施の形態によれば、図４に示されるように、レバー部材１ｄの雌ネジ部が回転軸６ｂの雄ネジ部と螺合状態となるように付勢部材１ｅによりレバー部材１ｄは付勢されている。これにより付勢部材１ｅの付勢力により、レバー部材１ｄと回転軸６ｂとの螺合状態を維持することが可能となる。
【００８７】
また本実施の形態によれば、図４に示されるように、レバー部材１ｄは、螺合状態と解除状態との間で直線状にスライド移動するように構成されている。これによりレバー部材１ｄを付勢部材１ｅの付勢力に抗してスライド移動させることにより、レバー部材１ｄと回転軸６ｂとの螺合状態を解除することが可能となる。
【００８８】
また本実施の形態によれば、図４に示されるように、作動部材１ｆは、レバー部材１ｄと回転軸６ｂとを螺合状態とする第１状態（図４参照）と、レバー部材１ｄと回転軸６ｂとを解除状態とする第２状態（図９参照）との間で移動可能である。また付勢部材１ｇは、作動部材１ｆを第２状態となるように付勢している。これにより作動部材１ｆに外力が作用しない状態においては、回転軸６ｂとレバー部材１ｄとの螺合状態が解除された解除状態とすることが可能となる。このため図１０に示されるように、回転軸６ｂをレバー部材１ｄと干渉させることなく、レバー部材１ｄの雌ネジ部との螺合可能位置まで挿入することが可能となる。よってレバー部材１ｄの雌ネジ部と回転軸６ｂの雄ネジ部との螺合が解除された解除状態を継続する操作が不要となり、回転軸６ｂに対するスピンナー１の着脱の動作が容易となる。
【００８９】
また本実施の形態によれば、図１０に示されるように、回転軸６ｂをレバー部材１ｄと螺合可能な位置へ挿入することにより作動部材１ｆが付勢部材１ｇの付勢力に抗して下方に押し下げられる。これにより図４に示されるように、レバー部材１ｄが付勢部材１ｅの付勢力により矢印Ａ方向にスライド移動して、回転軸６ｂと螺合する螺合状態となる。つまり解除状態にあるレバー部材１ｄと螺合可能な位置に回転軸６ｂを挿入すると、作動部材１ｆが上記第１状態となる。このため回転軸６ｂを挿入するという操作だけで上記螺合状態を実現でき、回転軸６ｂへのスピンナー１の取り付け動作が容易となる。
【００９０】
なお上記の実施の形態においては、図４に示されるように１対のレバー部材１ｄに対して１対の付勢部材１ｅが設けられた構成について説明したが、図１１に示されるように、１対のレバー部材１ｄに対して１つの付勢部材１ｅが設けられてもよい。この構成においても上記と同様の効果を得ることができる。
【００９１】
また図３に示されるように、スピンナー本体１ａの下面には、六角形状の凸部１ａａが設けられていてもよい。この六角形状の凸部１ａａに六角レンチを嵌めてねじ回すことにより、スピンナー１およびファン部材４を回転軸６ｂに取り付け、取り外しが容易となる。
【００９２】
（実施の形態２）
本実施の形態の構成は、実施の形態１の構成と比較して、ファン部材４を回転軸６ｂに着脱する機構において異なっている。
【００９３】
図１２（Ａ）に示されるように、本実施の形態におけるスピンナー１は、スピンナー本体１ａと、第１係合部２１ｄａと、第２係合部２１ｄｂと、操作部材２１ｆと、付勢部材２１ｅａ、２１ｅｂ（第１付勢部材）と、付勢部材２１ｇ（第３付勢部材）と、軸２１ｈとを有している。
【００９４】
第１係合部２１ｄａおよび第２係合部２１ｄｂの各々は、回転軸６ｂの雄ネジ部に噛み合う雌ネジ部を有している。第１係合部２１ｄａおよび第２係合部２１ｄｂの各々は、軸２１ｈを中心に回転可能である。これにより第１係合部２１ｄａの雌ネジ部と第２係合部２１ｄｂの雌ネジ部との間隔が拡大・縮小可能である。
【００９５】
付勢部材２１ｅａは、第１係合部２１ｄａを軸２１ｈを中心として回転方向に付勢している。また付勢部材２１ｅｂは、第２係合部２１ｄｂを軸２１ｈを中心として回転方向に付勢している。これらの付勢部材２１ｅａ、２１ｅｂにより、第１係合部２１ｄａの雌ネジ部と第２係合部２１ｄｂの雌ネジ部との間隔が狭くなるように第１係合部２１ｄａおよび第２係合部２１ｄｂが付勢されている。
【００９６】
第１係合部２１ｄａはテーパ部２１ｔａを有している。また第２係合部２１ｄｂもテーパ部２１ｔｂを有している。第１係合部２１ｄａのテーパ部２１ｔａと第２係合部２１ｄｂのテーパ部２１ｔｂとは互いに向かい合っている。第１係合部２１ｄａのテーパ部２１ｔａと第２係合部２１ｄｂのテーパ部２１ｔｂとの各々は、軸２１ｈに近づくほどに互いに近づくような傾斜を有している。
【００９７】
操作部材２１ｆは、テーパ部２１ｆａと、テーパ部２１ｆｂとを有している。操作部材２１ｆのテーパ部２１ｆａは第１係合部２１ｄａのテーパ部２１ｔａと当接可能である。また操作部材２１ｆのテーパ部２１ｆｂは第２係合部２１ｄｂのテーパ部２１ｔｂと当接可能である。
【００９８】
付勢部材２１ｇは、操作部材２１ｆを第１係合部２１ｄａおよび第２係合部２１ｄｂから離れる方向（図中白矢印方向）に向けて付勢している。
【００９９】
操作部材２１ｆは、スピンナー本体１ａの内部空間から外部に突き出している。これにより操作部材２１ｆを付勢部材２１ｇの付勢力に抗してスピンナー本体１ａの内部に押し込む操作が可能である。
【０１００】
操作部材２１ｆは、操作部材２１ｆが第１係合部２１ｄａおよび第２係合部２１ｄｂの双方から離れた第１状態（図１２（Ａ））と、操作部材２１ｆが第１係合部２１ｄａおよび第２係合部２１ｄｂの双方に当接する第２状態（図１２（Ｂ））との間で移動可能である。
【０１０１】
操作部材２１ｆが第１状態にあるときには、図１２（Ａ）に示されるように、第１係合部２１ｄａおよび第２係合部２１ｄｂの双方は、回転軸６ｂと螺合した螺合状態にある。また操作部材２１ｆが第２状態にあるときには、図１２（Ｂ）に示されるように、操作部材２１ｆのテーパ部２１ｆａ、２１ｆｂが第１および第２係合部２１ｄａ、２１ｄｂのテーパ部２１ｔａ、２１ｔｂを押圧することにより、第１係合部２１ｄａおよび第２係合部２１ｄｂの双方は回転軸６ｂとの螺合状態が解除された解除状態にある。
【０１０２】
なお上記以外の本実施の形態の構成は、実施の形態１の構成とほぼ同じであるため、本実施の形態の要素のうち実施の形態１と同一の要素については同一の符号を付し、その説明を繰り返さない。
【０１０３】
次に、上記のスピンナー１を回転軸６ｂに螺合またはワンタッチ操作により取り付ける方法について図１２（Ａ）、（Ｂ）を用いて説明する。
【０１０４】
図１２（Ａ）に示されるように、操作部材２１ｆは付勢部材２１ｇにより第１係合部２１ｄａおよび第２係合部２１ｄｂから離れる方向（図中白矢印方向）に向けて付勢されている。このため操作部材２１ｆに外力が作用していない状態では、操作部材２１ｆは第１係合部２１ｄａおよび第２係合部２１ｄｂの双方に当接していない。
【０１０５】
またこの状態においては、付勢部材２１ｅａ、２１ｅｂのそれぞれは、第１係合部２１ｄａ、第２係合部２１ｄｂを軸２１ｈを中心として回転方向に付勢している。このため第１係合部２１ｄａの雌ネジ部と第２係合部２１ｄｂの雌ネジ部とは互いに最も近づいた状態にある。
【０１０６】
第１係合部２１ｄａの雌ネジ部と第２係合部２１ｄｂの雌ネジ部とが互いに最も近づいた状態にあるとき、上記雌ネジ部の双方に回転軸６ｂの雄ネジ部は螺合可能である。このため回転軸６ｂの雄ネジ部に上記雌ネジ部の双方を螺合させることによりスピンナー１を回転軸６ｂに取り付けることが可能である。
【０１０７】
また上記の状態からスピンナー１を回転軸６ｂに取り付ける前に、図１２（Ｂ）に示されるように、操作部材２１ｆをスピンナー本体１ａの内部へ向かう方向（図中黒矢印方向）に押し込むこともできる。操作部材２１ｆを押し込み操作することにより、操作部材２１ｆのテーパ部２１ｆａ、２１ｆｂのそれぞれが第１係合部２１ｄａおよび第２係合部２１ｄｂのテーパ部２１ｔａ、２１ｔｂに当接する。これにより第１係合部２１ｄａおよび第２係合部２１ｄｂの各々が、付勢部材２１ｅａ、２１ｅｂの付勢力に抗して軸２１ｈを中心に回転する。この回転動作により第１係合部２１ｄａの雌ネジ部と第２係合部２１ｄｂの雌ネジ部とが互いに離れる。この状態では、第１係合部２１ｄａの雌ネジ部と第２係合部２１ｄｂの雌ネジ部との間の空間に、回転軸６ｂの雄ネジ部を上記雌ネジ部と螺合させることなく挿入することが可能となる。
【０１０８】
第１係合部２１ｄａの雌ネジ部と第２係合部２１ｄｂの雌ネジ部との間に回転軸６ｂの雄ネジ部が挿入された後、操作部材２１ｆをスピンナー本体１ａ内部へ押し込む操作が解除される。これにより図１２（Ａ）に示されるように、操作部材２１ｆが付勢部材２１ｇの付勢力により第１係合部２１ｄａおよび第２係合部２１ｄｂから離れる方向（図中白矢印方向）に移動する。これにより操作部材２１ｆが第１係合部２１ｄａおよび第２係合部２１ｄｂの各々から離れる。そして第１係合部２１ｄａおよび第２係合部２１ｄｂの各々が付勢部材２１ｅａ、２１ｅｂの付勢力により第１係合部２１ｄａの雌ネジ部と第２係合部２１ｄｂの雌ネジ部とが互いに近付き、回転軸６ｂの雄ネジ部と噛み合う螺合状態となる。
【０１０９】
上記のように操作部材２１ｆを操作することにより、ワンタッチ操作でスピンナー１を回転軸６ｂの取り付けることも可能である。
【０１１０】
またスピンナー１を回転軸６ｂから取り外す際には、スピンナー１が回転軸６ｂに対して相対的に回転されてもよい。つまりレバー部材１ｄの雌ネジ部と回転軸６ｂの雄ネジ部との螺合状態が解除されるまでスピンナー１が回転軸６ｂなどに対して回転される螺合操作により、スピンナー１およびファン部材４を回転軸６ｂから取り外すこともできる。
【０１１１】
また図１２（Ｂ）の黒矢印に示されるように、操作部材２１ｆを黒矢印方向に押し込み操作しながらスピンナー１を回転軸６ｂから引き抜くというワンタッチ操作で、スピンナー１を回転軸６ｂから取り外すこともできる。
【０１１２】
なお本実施の形態のスピンナー１は、実施の形態１の作動部材１ｆおよび付勢部材１ｇと同様、作動部材２１ｉおよび付勢部材２１ｊ（第２付勢部材）をさらに有していてもよい。
【０１１３】
図１３（Ａ）に示されるように、第１係合部２１ｄａおよび第２係合部２１ｄｂの下方には作動部材２１ｉが配置されている。作動部材２１ｉは、第１係合部２１ｄａおよび第２係合部２１ｄｂに近づくにしたがって幅が小さくなるテーパ形状の断面形状を有している。作動部材２１ｉは、台形または三角形の断面形状を有している。
【０１１４】
付勢部材２１ｊは、作動部材２１ｉの下方に配置されている。付勢部材２１ｊは、作動部材２１ｉを第１係合部２１ｄａおよび第２係合部２１ｄｂに向けて付勢している。これにより作動部材２１ｉのテーパ形状をなす傾斜部は、第１係合部２１ｄａおよび第２係合部２１ｄｂに当接可能である。
【０１１５】
作動部材２１ｉは、図１３（Ａ）に示される第１状態と、図１３（Ｂ）に示される第２状態との間で移動可能である。
【０１１６】
図１３（Ａ）に示されるように、第１状態においては、第１係合部２１ｄａおよび第２係合部２１ｄｂの各々の雌ネジ部は、回転軸６ｂの雄ネジ部と螺合状態となっている。また図１３（Ｂ）に示されるように、第２状態においては、第１係合部２１ｄａおよび第２係合部２１ｄｂの各々の雌ネジ部は、回転軸６ｂの雄ネジ部との間で螺合状態が解除された解除状態となっている。
【０１１７】
具体的には図１３（Ａ）に示されるように、作動部材２１ｉの第１状態とは、作動部材２１ｉに下向きの外力が作用することにより、作動部材２１ｉが付勢部材２１ｊの付勢力に抗して下方向に移動した状態である。この第１状態では、作動部材２１ｉは、第１係合部２１ｄａおよび第２係合部２１ｄｂの双方から離れている。この場合、第１係合部２１ｄａおよび第２係合部２１ｄｂの各々は付勢部材２１ｅａ、２１ｅｂ（図１２（Ａ）、（Ｂ））の付勢力により雌ネジ部同士が近づくように回転移動する。これにより第１係合部２１ｄａおよび第２係合部２１ｄｂの雌ネジ部の間隔も狭くなり、上記雌ネジ部の各々と回転軸６ｂの雄ネジ部とが螺合可能な状態となる。
【０１１８】
また図１３（Ｂ）に示されるように、作動部材２１ｉの第２状態とは、作動部材２１ｉが付勢部材２１ｊの付勢力により上方向に移動した状態である。この第２状態では、作動部材２１ｉは、付勢部材２１ｊの付勢力により第１係合部２１ｄａおよび第２係合部２１ｄｂを押圧している。これにより第１係合部２１ｄａおよび第２係合部２１ｄｂの各々は、雌ネジ同士が離れるように回転移動する。これにより第１係合部２１ｄａの雌ネジ部と第２係合部２１ｄｂの雌ネジ部との間隔も広がり、上記雌ネジ部と回転軸６ｂの雄ネジ部との螺合状態が解除可能な状態となる。
【０１１９】
上記において付勢部材２１ｅａ、２１ｅｂ、２１ｊは、たとえばバネであるが、これに限定されるものではなく付勢力を付与できる部材であればよい。また付勢部材２１ｊの付勢力は、作動部材２１ｉが第１係合部２１ｄａおよび第２係合部２１ｄｂの各々に押圧されたときに、付勢部材２１ｅａ、２１ｅｂの付勢力に抗して、第１係合部２１ｄａおよび第２係合部２１ｄｂが回転移動するように調整されている。
【０１２０】
次に、本実施の形態におけるレンジフード１０の効果について説明する。
本実施の形態によれば、実施の形態１と同様、ワンタッチ操作と螺合操作との双方にてスピンナー１を回転軸６ｂに着脱することができる。このため操作部材２１ｆが油汚れ、錆などによりスピンナー本体１ａなどと固着して操作できなくなった場合でも、スピンナー１を螺合により回転軸６ｂに対して着脱することができる。よって油汚れ、錆などによる固着が生じても排気用ファン３の着脱が容易である。
【０１２１】
また本実施の形態によれば、図１２（Ａ）、（Ｂ）に示されるように、第１係合部２１ｄａおよび第２係合部２１ｄｂの各々の雌ネジ部が回転軸６ｂの雄ネジ部と螺合状態となるように付勢部材２１ｅａ、２１ｅｂにより第１係合部２１ｄａおよび第２係合部２１ｄｂは付勢されている。これにより付勢部材２１ｅａ、２１ｅｂの付勢力により、第１係合部２１ｄａおよび第２係合部２１ｄｂと回転軸６ｂとの螺合状態を維持することが可能となる。
【０１２２】
また本実施の形態によれば、図１２（Ａ）に示されるように、付勢部材２１ｅａ、２１ｅｂが第１係合部２１ｄａおよび第２係合部２１ｄｂを付勢する方向は、操作部材２１ｆを操作する方向とは異なる方向である。これにより付勢部材２１ｅａ、２１ｅｂの付勢力を強くして螺合状態を強く維持するとともに、螺合状態を解除するために必要な操作力を小さくすることが可能となる。
【０１２３】
また本実施の形態によれば、図１２（Ａ）に示されるように、第１係合部２１ｄａおよび第２係合部２１ｄｂの各々は、螺合状態と解除状態との間で回転移動するように構成されている。これにより付勢部材２１ｅａ、２１ｅｂが第１係合部２１ｄａおよび第２係合部２１ｄｂを付勢する方向を、操作部材２１ｆを操作する方向と異なる方向にすることが可能となる。
【０１２４】
また本実施の形態によれば、操作部材２１ｆは、図１２（Ａ）に示す第１状態と、図１２（Ｂ）に示す第２状態との間で移動可能である。図１２（Ａ）に示す第１状態は、第１係合部２１ｄａおよび第２係合部２１ｄｂの双方の雌ネジ部が回転軸６ｂの雄ネジ部と螺合状態となる状態である。また図１２（Ｂ）に示す第２状態は、第１係合部２１ｄａおよび第２係合部２１ｄｂの各々の雌ネジ部が回転軸６ｂの雄ネジ部と螺合した状態が解除された解除状態となる状態である。また付勢部材２１ｇは、操作部材２１ｆを第１状態となるように付勢している。これにより付勢部材２１ｇの付勢力により操作部材２１ｆが第１状態に付勢され、第１係合部２１ｄａおよび第２係合部２１ｄｂの双方の雌ネジ部と回転軸６ｂの雄ネジ部との螺合状態が維持される。また付勢部材２１ｇの付勢力に抗して操作部材２１ｆを第２状態へ移動させることができる。これにより第１係合部２１ｄａおよび第２係合部２１ｄｂの双方の雌ネジ部と回転軸６ｂの雄ネジ部との螺合状態が解除された解除状態とすることができ、回転軸６ｂに対してスピンナー１を脱着することが可能となる。
【０１２５】
また本実施の形態によれば、図１２（Ａ）、（Ｂ）に示されるように、操作部材２１ｆを１方向から操作するのみで足りるため、操作者が操作部材２１ｆに力を加えることが容易となる。
【０１２６】
また本実施の形態においては、図１３（Ｂ）に示されるように、作動部材２１ｉおよび付勢部材２１ｊが設けられた場合、作動部材２１ｉにより第２状態が維持される。このためファン部材４を回転軸６ｂに着脱する際に、第１係合部２１ｄａおよび第２係合部２１ｄｂの各雌ネジ部と回転軸６ｂの雄ネジ部との螺合が解除された解除状態を継続する操作が不要となる。
【０１２７】
また図１３（Ｂ）に示された第２状態から第１係合部２１ｄａおよび第２係合部２１ｄｂの各雌ネジ部の間に回転軸６ｂの雄ネジ部が挿入されると、図１３（Ａ）に示されるように作動部材２１ｉが回転軸６ｂに押されて、付勢部材２１ｊの付勢力に抗して下方に移動する。これにより作動部材２１ｉが第１係合部２１ｄａおよび第２係合部２１ｄｂから離れ、第１係合部２１ｄａおよび第２係合部２１ｄｂの各雌ネジ部同士が近づいて回転軸６ｂの雄ネジ部に噛み合う。このため回転軸６ｂの雄ネジ部を雌ネジ部間に挿入する操作のみでスピンナー１およびファン部材４を回転軸６ｂに取り付けることができる。
【０１２８】
（実施の形態３）
本実施の形態の構成は、実施の形態１の構成と比較して、ファン部材４を回転軸６ｂに着脱する機構において異なっている。
【０１２９】
図１４（Ａ）、（Ｂ）に示されるように、本実施の形態におけるスピンナー１は、スピンナー本体１ａと、係合部材３１ｄと、操作部材３１ｆと、付勢部材３１ｇ（第３付勢部材）とを有している。
【０１３０】
係合部材３１ｄは、バネ部材よりなっている。係合部材３１ｄは、係合部３１ｄａと、１対の延在部３１ｄｂ、３１ｄｃとを有している。係合部３１ｄａは、回転軸６ｂの雄ネジ部に噛み合う部分である。このため係合部３１ｄａは、回転軸６ｂの雄ネジ部のネジ溝に嵌まり込む形状を有している。また係合部３１ｄａは、略円弧形状を有している。係合部３１ｄａの略円弧形状の中心角θは、係合部３１ｄａが回転軸６ｂの雄ネジ部に噛み合った状態において上方突出部２ｃの軸中心ＡＸ（回転軸６ｂの軸中心ＡＸ）を中心として１８０°以上である。係合部３１ｄａは、単一の曲率半径よりなる円弧形状を有していてもよく、複数の円弧が組み合わされた形状を有していてもよく、また回転軸６ｂの雄ネジ部に噛み合う形状であれば上記以外の形状であってもよい。
【０１３１】
係合部３１ｄａに外力が加わらない状態における係合部３１ｄａの内接円の径は、回転軸６ｂの雄ネジ部における外径よりも小さくなるように設定されている。このため係合部３１ｄａが回転軸６ｂの雄ネジ部に噛み合った状態においては、係合部３１ｄａは回転軸６ｂにおける雄ネジ部のネジ溝に嵌っている。
【０１３２】
延在部３１ｄｂは、係合部３１ｄａの第１端部に接続され、かつ第１端部から略円弧形状の係合部３１ｄａの径方向外側に向かって延びている。また延在部３１ｄｃは、係合部３１ｄａの第２端部に接続され、かつ第２端部から略円弧形状の係合部３１ｄａの径方向外側に向かって延びている。延在部３１ｄｂと延在部３１ｄｃとの間隔Ｌ１は、径方向内側に向かうほど小さくなっている。
【０１３３】
操作部材３１ｆは、１対の延在部３１ｄｂ、３１ｄｃの間に配置された先端部３１ｆａを有している。先端部３１ｆａは、係合部３１ｄａに近づくにしたがって幅Ｌ２が小さくなる形状を有している。
【０１３４】
付勢部材３１ｇは、操作部材３１ｆを係合部材３１ｄから離れる方向に向けて付勢している。
【０１３５】
操作部材３１ｆは、スピンナー本体１ａの内部空間から外部に突き出している。これにより操作部材３１ｆを付勢部材３１ｇの付勢力に抗してスピンナー本体１ａの内部に押し込む操作が可能である。
【０１３６】
操作部材３１ｆは、操作部材３１ｆが係合部材３１ｄから離れた第１状態（図１４（Ａ））と、操作部材３１ｆが係合部材３１ｄに当接する第２状態（図１４（Ｂ））との間で移動可能である。
【０１３７】
操作部材３１ｆが第１状態にあるときには、係合部材３１ｄは、回転軸６ｂと螺合した螺合状態にある。また操作部材３１ｆが第２状態にあるときには、操作部材３１ｆの先端部３１ｆａが１対の延在部３１ｄｂ、３１ｄｃの間隔Ｌ１を拡げることにより、係合部材３１ｄと回転軸６ｂとの螺合状態が解除された解除状態となる。
【０１３８】
なお上記以外の本実施の形態の構成は、実施の形態１の構成とほぼ同じであるため、本実施の形態の要素のうち実施の形態１と同一の要素については同一の符号を付し、その説明を繰り返さない。
【０１３９】
次に、上記のスピンナー１を回転軸６ｂに螺合またはワンタッチ操作により取り付ける方法について図１４（Ａ）、（Ｂ）を用いて説明する。
【０１４０】
図１４（Ａ）に示されるように、操作部材３１ｆは付勢部材３１ｇにより係合部材３１ｄから離れる方向（図中白矢印方向）に向けて付勢されている。このため操作部材３１ｆに外力が作用していない状態では、操作部材３１ｆは係合部材３１ｄに当接していない。
【０１４１】
またこの状態においては、係合部材３１ｄの係合部３１ｄａは、回転軸６ｂの雄ネジ部に螺合可能である。このため回転軸６ｂの雄ネジ部に上記係合部材３１ｄの係合部３１ｄａを螺合させることによりスピンナー１を回転軸６ｂに取り付けることが可能である。
【０１４２】
また上記の状態からスピンナー１を回転軸６ｂに取り付ける前に、図１４（Ｂ）に示されるように、操作部材３１ｆをスピンナー本体１ａの内部へ向かう方向（図中黒矢印方向）に押し込むこともできる。操作部材３１ｆを押し込み操作することにより、操作部材３１ｆの先端部３１ｆａが係合部材３１ｄの１対の延在部３１ｄｂ、３１ｄｃの各々を押圧する。これにより１対の延在部３１ｄｂ、３１ｄｃの間隔Ｌ１が拡がる。これにより係合部３１ｄａの内接円が拡径するように係合部材３１ｄが変形する。この状態では、係合部３１ｄａに、回転軸６ｂの雄ネジ部を係合部３１ｄａと螺合させることなく挿入することが可能となる。
【０１４３】
係合部３１ｄａ内に回転軸６ｂの雄ネジ部が挿入された後、操作部材３１ｆをスピンナー本体１ａ内部へ押し込む操作が解除される。これにより操作部材３１ｆが付勢部材３１ｇの付勢力により係合部材３１ｄから離れる方向（図中白矢印方向）に移動する。これにより係合部材３１ｄは元の形状に復帰し、係合部材３１ｄの係合部３１ｄａが回転軸６ｂの雄ネジ部と噛み合う状態となる。
【０１４４】
上記のように操作部材３１ｆを操作することにより、ワンタッチ操作でスピンナー１を回転軸６ｂの取り付けることも可能である。
【０１４５】
またスピンナー１を回転軸６ｂから取り外す際には、スピンナー１が回転軸６ｂに対して相対的に回転されてもよい。つまり係合部材３１ｄの係合部３１ｄａと回転軸６ｂの雄ネジ部との螺合状態が解除されるまでスピンナー１が回転軸６ｂなどに対して回転される螺合操作により、スピンナー１およびファン部材４を回転軸６ｂから取り外すこともできる。
【０１４６】
また図１４（Ｂ）の黒矢印に示されるように、操作部材３１ｆを黒矢印方向に押し込み操作しながらスピンナー１を回転軸６ｂから引き抜くというワンタッチ操作で、スピンナー１およびファン部材４を回転軸６ｂから取り外すこともできる。
【０１４７】
なお本実施の形態のスピンナー１は、実施の形態１の作動部材１ｆおよび付勢部材１ｇと同様、作動部材３１ｉおよび付勢部材３１ｊ（第２付勢部材）をさらに有していてもよい。
【０１４８】
図１５（Ａ）に示されるように、係合部材３１ｄの係合部３１ｄａの下方には作動部材３１ｉが配置されている。作動部材３１ｉは、係合部材３１ｄに近づくにしたがって幅が小さくなるテーパ形状の断面形状を有している。作動部材３１ｉは、台形または三角形の断面形状を有している。
【０１４９】
付勢部材３１ｊは、作動部材３１ｉの下方に配置されている。付勢部材３１ｊは、作動部材３１ｉを係合部３１ｄａに向けて付勢している。これにより作動部材３１ｉのテーパ形状をなす傾斜部は、係合部３１ｄａの内周側に当接可能である。
【０１５０】
作動部材３１ｉは、図１５（Ａ）に示される第１状態と、図１５（Ｂ）に示される第２状態との間で移動可能である。
【０１５１】
図１５（Ａ）に示されるように、第１状態においては、係合部材３１ｄの係合部３１ｄａは、回転軸６ｂの雄ネジ部と螺合状態となっている。また図１５（Ｂ）に示されるように、第２状態においては、係合部材３１ｄの係合部３１ｄａは、回転軸６ｂの雄ネジ部との間で螺合状態が解除された解除状態となっている。
【０１５２】
具体的には図１５（Ａ）に示されるように、作動部材３１ｉの第１状態とは、作動部材３１ｉに下向きの外力が作用することにより、作動部材３１ｉが付勢部材３１ｊの付勢力に抗して下方向に移動した状態である。この第１状態では、作動部材３１ｉは、係合部材３１ｄの係合部３１ｄａから離れている。この場合、係合部材３１ｄの係合部３１ｄａは元の形状を維持しているため、係合部３１ｄａと回転軸６ｂの雄ネジ部とが螺合可能な状態となる。
【０１５３】
また図１５（Ｂ）に示されるように、作動部材３１ｉの第２状態とは、作動部材３１ｉが付勢部材３１ｊの付勢力により上方向に移動した状態である。この第２状態では、作動部材３１ｉは、付勢部材３１ｊの付勢力により係合部３１ｄａを拡径するように押圧している。これにより係合部３１ｄａが拡径されて、係合部３１ｄａと回転軸６ｂの雄ネジ部との螺合状態が解除可能な状態となる。
【０１５４】
上記において付勢部材３１ｇ、３１ｊは、たとえばバネであるが、これに限定されるものではなく付勢力を付与できる部材であればよい。また付勢部材３１ｊの付勢力は、係合部３１ｄａを拡径できるように調整されている。
【０１５５】
次に、本実施の形態におけるレンジフード１０の効果について説明する。
本実施の形態によれば、実施の形態１と同様、ワンタッチ操作と螺合操作との双方にてスピンナー１を回転軸６ｂに着脱することができる。このため操作部材３１ｆが油汚れ、錆などによりスピンナー本体１ａなどと固着して操作できなくなった場合でも、スピンナー１を螺合により回転軸６ｂに対して着脱することができる。よって油汚れ、錆などによる固着が生じても排気用ファン３の着脱が容易である。
【０１５６】
また本実施の形態によれば、図１４（Ａ）、（Ｂ）に示されるように、係合部材３１ｄは、係合部３１ｄａと、その係合部３１ｄａの両端から径方向外側に向かって延びる１対の延在部３１ｄｂ、３１ｄｃとを有するバネ部材である。これにより簡易な構成で回転軸６ｂとの螺合状態と解除状態とを実現することができる。
【０１５７】
また本実施の形態によれば、図１４（Ａ）、（Ｂ）に示されるように、操作部材３１ｆを１方向から操作するのみで足りるため、操作者が操作部材３１ｆに力を加えることが容易となる。
【０１５８】
また本実施の形態においては、図１５（Ｂ）に示されるように、作動部材３１ｉおよび付勢部材３１ｊが設けられた場合、作動部材３１ｉにより第２状態が維持される。このためファン部材４を回転軸６ｂに着脱する際に、係合部材３１ｄの係合部３１ｄａと回転軸６ｂの雄ネジ部との螺合が解除された解除状態を継続する操作が不要となる。
【０１５９】
また図１５（Ｂ）に示された第２状態から係合部３１ｄａ内に回転軸６ｂの雄ネジ部が挿入されると、図１５（Ａ）に示されるように作動部材３１ｉが回転軸６ｂに押されて、付勢部材３１ｊの付勢力に抗して下方に移動する。これにより作動部材３１ｉが係合部３１ｄａから離れ、係合部材３１ｄは元の形状に復帰して係合部３１ｄａ内に挿入された回転軸の雄ネジ部に噛み合う。このため回転軸６ｂの雄ネジ部を係合部３１ｄａ内に挿入する操作のみでスピンナー１およびファン部材４を回転軸６ｂに取り付けることができる。
【０１６０】
なお上記実施の形態１〜３においては、ベース下部２Ｌおよびベース上部２Ｕが別部品である場合について説明したが、ベース下部２Ｌおよびベース上部２Ｕは一体化された１部品であってもよい。
【０１６１】
また上記実施の形態１〜３においては回転軸６ｂに設けられた第１ネジ部が雄ネジ部であり、スピンナー１に設けられた第２ネジ部が雌ネジ部である場合について説明したが、第１ネジ部が雌ネジ部で、第２ネジ部が雄ネジ部であってもよい。
【０１６２】
また上記実施の形態においては、排気用ファン３を回転させる駆動源としてモータ６について説明したが、駆動源はモータ６に限定されず、排気用ファン３を回転可能なものであればよい。
【０１６３】
また上記実施の形態１〜３においては、図４に示されるように、回転軸６ｂとスピンナー１とは、回転軸６ｂの回転方向に対して回転軸６ｂとスピンナー１との螺合が締まるように構成されている。具体的には回転軸６ｂの雄ネジ部が回転軸６ｂの回転方向に対して逆ネジとなっている。これにより回転軸６ｂの回転により回転軸６ｂとスピンナー１とが強固に締結されることになる。
【０１６４】
また上記実施の形態１〜３においては、スピンナー１がファン部材４に相対回転可能に取り付けられた構成について説明したが、スピンナー１はファン部材４と別体であってもよい。
【０１６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１６６】
１  スピンナー、１ａ  スピンナー本体、１ａａ，１ｆａ，２ｄａ  凸部、１ｂ  押え部材、１ｂｃ  押え部、１ｂｄ，１ｄｅ，２ｂｂ，２ｅ，３ｂｂ  貫通孔、１ｂｅ，２ａ  円筒部、１ｄ  レバー部材（第１レバー部材、第２レバー部材）、１ｄａ  雌ネジ形成部、１ｄｂ  操作部、１ｄｃ  接続部、１ｄｄ，２１ｆａ，２１ｆｂ，２１ｔａ，２１ｔｂ  テーパ部、１ｅ，１ｇ，２１ｅａ，２１ｅｂ，２１ｇ，２１ｊ，３１ｇ，３１ｊ  付勢部材、１ｆ，２１ｉ，３１ｉ  作動部材、２  ベース部材、２Ｌ  ベース下部、２Ｕ  ベース上部、２ａａ  円環部、２ａｂ  フランジ部、２ｂａ  張り出し固定部、２ｃ  上方突出部、２ｄ  嵌合部、２ｄｂ  凹部、２ｆ  雌ネジ部、３  排気用ファン、３ａ  ファンブレード、３ｂ  上部支持板、３ｃ  下部支持板、４  ファン部材、５  固定部材、６  モータ、６ａ  モータ本体、６ｂ  回転軸、６ｃ  突出部、８  ファンケーシング、８ａ  吸込口、８ｂ，１１ａ  内部空間、１０  レンジフード、１１  本体ハウジング、１２  フードケース、１３  整流板、１４  内装パネル、１５  隙間、２１ｄａ  第１係合部、２１ｄｂ  第２係合部、２１ｆ，３１ｆ  操作部材、２１ｈ  軸、３１ｄ  係合部材、３１ｄａ  係合部、３１ｄｂ，３１ｄｃ  延在部、３１ｆａ  先端部、ＡＸ  軸中心。
【図１】
2020020484.tif 000003
【図２】
2020020484.tif 000004
【図３】
2020020484.tif 000005
【図４】
2020020484.tif 000006
【図５】
2020020484.tif 000007
【図６】
2020020484.tif 000008
【図７】
2020020484.tif 000009
【図８】
2020020484.tif 000010
【図９】
2020020484.tif 000011
【図１０】
2020020484.tif 000012
【図１１】
2020020484.tif 000013
【図１２】
2020020484.tif 000014
【図１３】
2020020484.tif 000015
【図１４】
2020020484.tif 000016
【図１５】
2020020484.tif 000017